(57)【要約】      （修正有）【課題】介護の一旦として、患者の移動が主な仕事と云え、看護士、等スタッフの腰痛の原因でもある重労働を解決する介護用の万能健康椅子及びベッドと患者移動の補助器具を提供する。【解決手段】フック付き介護用のベストを患者に何時も着用してもらい、又はベッドに貼り付け、患者の移動の際、即座に対応、天井ホイストに吊上げ用の補助器具と万能健康椅子、或いはベッドを其々に、合った所で使用できる構成とする。【選択図】図１
2009268870.tif 000002
【特許請求の範囲】
【請求項１】
座の部分左右、二枚の帯状になり、中央部分が帯状に開いている、形状になっている。
【請求項２】
［図１７］の  ライフ・ジャケット《ｌｉｆｅ  ｊａｃｋｅｔ》及びチョッキ《ｊａｃｋ》形状になる物に、わつか状の取って（吊り上げ用のフック《ｈｏｏｋ》）を取り付け通常は、其々患者の形式に合った、形で何時も着用して不快感の無い所で収納、又はベッドに貼り付け、患者の移動の際、即座に、対応出来る、衣服。名称（フック付き介護用のベスト）
【請求項３】
［図１６］の吊上げ用の補助器具、人間工学的にどんな状態でも、無理がなく、吊り上げられる、補助器具。
【請求項４】
［図１４］の椅子、謙、枕、どの方向にも動き、高さは、自由に調整
万能健康椅子の補助器具。名称（自在の枕）。
【請求項５】
［図２２］のトラスを利用、交点にストッパー《ｓｔｏｐｐｅｒ》付きのラチェット《ｒａｔｃｈｅｔ》脚部にキャスター《ｃａｓｔｅｒ》を取り付けた、ベッド及び椅子。
【発明の詳細な説明】
【技術分野】
【０００１】本発明は、トラスを利用、構造的に強く、大小により、通常の携帯用の椅子、非常時の便座、ベッド、として使用［図１１］万能健康椅子［図１４］補助器具、一対で（身障者、腰痛時及び、妊娠中）等の性行為にも使用出来る、本来は介護用の椅子及びベッドとして使用。《椅子及びベッドはそのままホイストで吊り上げられる構造で又台車の合体で移動及び浴槽に入れることも出来るがその場合ベアリング（ｂｅａｒｉｎｇ）及びキャスター（ｃａｓｔｅｒ）の潤滑油は鉱物性ではなく中性の液体洗剤使用で良い材質の物、例えば強化プラスチック（ＦＲＰ）等。》
【背景技術】
【０００２】介護の一旦として、患者の入浴、即ち重度の患者さんを看護士等が洗体作業時、従来までは、水に強い、材質で製造した、（風呂用の椅子）を使用して、作業を行うが、可也の重労働、患者の下腹部を洗うのは、難儀をしている、軽度の患者は患者自身で洗う。
【発明を実施するための最良の形態】
【０００３】  本発明は［図１７］のチョッキ（ｊａｃｋ）或いはライフジャケット《ｌｉｆｅ−ｊａｃｋｅｔ》救命胴衣の形状に取っ手、或いは、吊りようのフック《ｈｏｏｋ》となる、わっかを取り付けた着物、即ち、患者にとって、心地よい、下着として、何時も着用或いはベット貼り付けが必要条件である、その条件下で、一番の重労働と考えられる、重度の患者の移動の際、天井ホイスト、の吊フックとして、或いは、取っ手、として使用すれば、看護士、等に負担が掛から無く、容易に簡単、スムーズ《ｓｍｏｏｔｈ》に事が成し遂げられる。即ち、介護一般、下の世話から、入浴（洗体作業）等、即座に対応、又寒いときはガウン（ｇｏｗｎ）等を着用して使用出来る。着替えは、湯船の中で、どんな人でも浮くので、作業は容易に出来る。
【発明の効果】
【０００４】従来まで、介護のスタッフ《ｓｔａｆｆ》看護士、等は下の世話、風呂（洗体作業）衣服の着替え、食事、散歩、医療の類、等、その他、色々の作業があるが、その殆んどが、患者の体重移動が、主であるため、スタッフの腰等の負担から、避ける事は、出来なかったが、発明のフック付きライフジャケットと万能健康椅子、出来れば天井ホイスト、の３セットを使用すれば、重労働から、軽作業となる、即ち、患者の一番の喜び、楽しみであると思われる、風呂（洗体作業）が週一から、毎日になるとすれば、患者は、満遍の笑顔となり、心身共に、健康。
【図面の簡単な説明】
【図１】―［１頁］は、コンパクト設計、《ｓｔｏｏｌ》背もたれの無い、介護用万能健康椅子、の［正面図］［背面図］、［右側面図］［左側面図］寸法はｍｍで（仮寸法）［２頁］は、［平面図］［底面図］
【符号の説明】
［▲１▼］―蝶ネジ、ナット、ワッシャー、ボルト（素材はステンレス等、錆に強く、強固、で安価）
［▲２▼、▲３▼］―はパイプ素材は、アルミ、ステンレス、強化プラスチック《ＦＲＰ》等、錆に強く、軽量で強固で安価、□の形状で一番、力の掛からない下の中央で、継いだ物、（下部に小穴ドレーン？）
［▲４▼］―は臀部が接する部分、柔らかく、水切れが良い物、しかも、引っ張りに強い物、二種類の素材が必要、かも（▲４▼は▲６▼―より少し長め）長さ調整が自由自在の物が良いかも知れない。
［▲５▼］―は滑り止め、ビニール、合成ゴム、等、水に強く、弾性力に富み、滑り難い物質をパイプに４ｃｍ前後の長さ厚みは１ｃｍ前後全体に取り付けた、姿図。
［▲６▼］―は巾３ｃｍ前後で、本体のパイプ▲２▼及び▲３▼に３０ｃｍ前後の巾に固定した、姿図（長さ調整が自由自在の物が良いかも知れない）
【図２】
―［▲１▼］の［詳細図］ボルト、ナット、ワッシャー二重蝶ナットの姿図
【図３】
―、二重蝶ナットの代用、ノックぴんの［拡大図］。
【図４】
は［▲２▼］の改良図、それを符号で《▲２▼》とするスツール《ｓｔｏｏｌ》の部品からチェア《ｃｈａｉｒ》の部品、即ち、背もたれを取り付け、寸法を長くした、［斜視図］の［姿図］。
【図５】
―は［▲３▼］の改良図、それを符号で《▲３▼》とする［図４］と同じく、寸法を長くした、［姿図］、黒点は［図２］のボルトが入る穴、其々の位置図。［図１］は普通サイズのスツール《ｓｔｏｏｌ》Ｍとするならば、ＳＳ〜５Ｌまで多種多様の大きさがあっても良い。パイプに穴を開けた場合、弱くなる、ので、その部分を強化プラスチック《ＦＲＰ》等で無垢にした後、穴を開けた物。の［斜視図］
【図６】
―は［▲４▼］の［側面図］の［詳細図］（普通のベルトと留め金）
【図７】
―は［▲４▼］の［平面図］の［詳細図］（普通のベルトと留め金）
［▲６▼］は［▲４▼］と形は同じく、巾のみ狭い。
【図８】
―チェア《ｃｈａｉｒ》背もたれ付きの椅子、の側面から見た、簡単な図。
【図９】
―は臀部が接する部分、即ち座の部分を長くした、［側面図］。
【図１０】
は緊急時のトイレの図、地面を堀その上に（万能健康椅子と鋼管パイプを自在クランプで止めた物）に人間が腰掛けた所の［姿図］。使用時はポンチョ《ｐｏｎｃｈｏスペイン》を着用すれば良い。無い場合はブルーシート、及び毛布、等を身体に合う適度の長方形に切断し、その中央部分、頭が入る２０ｃｍ前後の穴を開け両サイドを両腕が出る所までガムテープで止めればよい。
【図１１】
―万能健康椅子、枕、兼用の椅子（自在の枕）を組み合わせ、身障者、妊婦、及び、腰痛の時に無理が無く、性行為に利用出来る所の［側面図］。
【図１２】
―はチェア《ｃｈａｉｒ》背もたれ付きの椅子、の上斜めから見た［斜視図］
【図１３】
は緊急時のトイレの図、万能健康椅子のスツール《ｓｔｏｏｌ》に箱形のチィシュペーパー形状で中は袋状でその中に大小便が納まる、形状になっている。所の［姿図］。高速道路、等、渋滞で身動き出来ない、状況にある場合、（旅の恥は掻き捨て、バス及び車に携帯すれば安心。）
【図１４】
―は万能健康椅子の補助器具。名称（自在の枕）。の図面。
［右側面図―３］は［右側面図―２］に上げ下げする、ボルトとアーム間に螺旋状のバネ（スプリング）取り付け、下がった時の状態の図。
［正面図―３］は板バネを取り付け、螺旋のバネ（スプリング）を無視して、上がった時の状態の図。
【図１５】
は天井ホイストの簡単な［姿図］と説明。
［車輪とレールの拡大図］の説明、車輪に溝を設ける事により、レール及び車輪がある程度、水平に磨り減る、本題では無いが、汽車及び電車が急カーブを通過する際、脱線事故が少なくなる。（徐行運転が一番である。）図の天井クレーンの支柱はトラス毎に継ぎ手式であり、水平及び高さの微調整はジャッキ、ベース（ｊａｃｋ−ｂａｓｅ）で出来る。よって２ｍ前後の階高があれば、横行のみのも、設置は簡単である。
名前が天井ホイストであるので、天井を補強して、工事をするならば、手間隙が掛かり、構造的にも弱いであろう。横行、及び走行はギャーモーターを使用しなくても、人力で行える、車輪及びレールが共に鋼鉄であれば、動作は軽いが、音が共鳴する、したがって、車輪だけは強化プラスチック《ＦＲＰ》が良いかもしれない又ベヤリング及び車輪の本体は（鋼鉄、鋳物）で強化プラスチック（ＦＲＰ）填め込み式に、磨耗すると強化プラスチック（ＦＲＰ）のみ交換すれば良い床面及び壁面に接地する所は合成ゴム等を挟み込み、消音を試みる。レールの設置巾は、本体の最大巾と最小巾の緩やかなカーブの繰り返しで設置。
【図１６】
―は吊り用の補助器具  １５頁、１６頁、１７頁、に記す
【図１７】
―名称は（フック付きベスト）の［平面図］素材は布製で柔らかく、着用はマジックテープ或いはボタン等で着用、不快感が無く水切れが良く、丈夫で欲を言えば、表面が凹凸に成っており、通気性に富、床擦れに、成り難い、物
【図１８】
―は患者が（フック付きベスト）を着用し天井ホイスト等、で吊り上げられた、時の正面からの、［姿図］。（場合によっては頭部に吊フックを掛ける）
【図１９】
―は患者が（フック付きベスト）を着用し天井ホイスト等、で吊り上げられた、時の側面からの、［姿図］。
【図２０】
―（フック付きベスト）の外側にパイプ等を通し横木等で固定し、ベッド状とした、上に  患者が乗った状態で、天井ホイスト等、で吊り上げられた、時の側面からの、［姿図］。
【図２１】
―は［図２０］のベッドをベニヤ板と例えた時の、平均的サイズの人間とベニヤ板の設置面の［平面図］。（人間工学的に考えればベニヤ板を上げると人間も上がるが設置面が広いほど楽であり、表面が凹凸状であれば血液の流れも良く床擦れ等に良いであろう、説明の図。）
【図２２】
―は［図２］のボルト、蝶ナットの代わりにストッパー（ｓｔｏｐｐｅｒ）付きラチェット（ｒａｔｃｈｅｔ）歯車にＵの字形のパイプがしっくり入るパイプを六箇所溶接等で固定、Ｕの字形が多種の角度に固定出来る、所の側面の［姿図］。（ベッド或いは、椅子の状態でそのまま吊上げる事が出来る。）
【図２３】
、
【図２４】
―はストッパー（ｓｔｏｐｐｅｒ）付きラチェット（ｒａｔｃｈｅｔ）、歯車に［図２５］の台車及び、側面にパイプ等を自在クランプで止めた物。
（フック付きベストと組み合わせで人間をあらゆる状態に固定出来る。即ち特殊な手術後、通常ベッド寝られない場合等、又移動の際は［図２４］の台車を使用。）
【図２５】
―は台車、アングル（Ｌ形状の鋼材）の枠にキャスター取り付けた、［斜視図］。長手方向にキャスターを取り付けた方が良いかも、（キャスターは床面と垂直に固定）。
【図１】
2009268870.tif 000003
2009268870.tif 000004
2009268870.tif 000005
【図２】
2009268870.tif 000006
【図３】
2009268870.tif 000007
【図４】
2009268870.tif 000008
【図５】
2009268870.tif 000009
【図６】
2009268870.tif 000010
【図７】
2009268870.tif 000011
【図８】
2009268870.tif 000012
【図９】
2009268870.tif 000013
【図１０】
2009268870.tif 000014
【図１１】
2009268870.tif 000015
【図１２】
2009268870.tif 000016
【図１３】
2009268870.tif 000017
【図１４】
2009268870.tif 000018
2009268870.tif 000019
2009268870.tif 000020
2009268870.tif 000021
2009268870.tif 000022
【図１５】
2009268870.tif 000023
【図１５】
2009268870.tif 000024
【図１６】
2009268870.tif 000025
2009268870.tif 000026
2009268870.tif 000027
【図１７】
2009268870.tif 000028
【図１８】
2009268870.tif 000029
【図１９】
2009268870.tif 000030
【図２０】
2009268870.tif 000031
【図２１】
2009268870.tif 000032
【図２２】
2009268870.tif 000033
【図２３】
2009268870.tif 000034
【図２４】
2009268870.tif 000035
【図２５】
2009268870.tif 000036
【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
椅子の臀部が接する座の部分、即ち人間工学的に要らない部分を取り去り、二枚の帯状、中央が開口の形に成っている。帯の短辺方向は端から中央部に向かって臀部が適合する様に、薄く柔らかく成っている。名称（健康万能椅子）
【請求項２】
［図３］〜［１２図］の椅子、兼、枕、どの方向にも動き、高さは、自由に調整、万能健康椅子の補助器具、名称、（介護士の椅子）
【請求項３】
［図１５］のライフ・ジャケット（ｌｉｆｅ  ｊａｃｋｅｔ）及びチョッキ（ｊａｃｋ）形状に成る物に、ワッカ状の取っ手《吊上げ用のフック（ｈｏｏｋ）》を取り付け通常は其々患者の形式に合った、形で何時も着用して不快感の無い所で収納、又はベッド（ｂｅｄ）に貼り付け、患者の移動の際、即座に対応出来る、衣服。名称（フック付き介護用ベスト）
【請求項４】
［図１６］〜［図２２］の吊上げ用の補助器具、人間工学的に有らゆる状態でも、無理が無く、吊り上げられる、補助器具。名称（重心安定器）
【請求項５】
［図２７］図の中心の交点に、ストッパー（ｓｔｏｐｐｅｒ）固定装置、付き、ラチェト（ｒａｔｃｈｅｔ）爪車にＵ字形のスチール・パイプ（ｓｔｅａｌ．ｐｉｐｅ）若しくは匹敵する素材を取り付け、有らゆる角度に固定、寝台及び椅子に成る、人間工学に介護用は勿論、重病人の有らゆる姿勢に対応、固定出来る、キャスター（ｃａｓｔｅｒ）付き台車を取り付ければ、移動用の寝台及び屋内用の車椅子に、又構造的にトラス（ｔｒｕｓｓ）を利用する事で、最小の器材で簡素で強固、患者を乗せた状態でホイストで吊り上げられる、移動時、等が容易、名称（万能健康ベッド）
【請求項６】
［図３１］〜［図３４］の天井ホイスト（ｈｏｉｓｔ）のレール（ｒａｉｌ）に接する車輪を平均に磨り減る様にフランジ（ｆｒａｎｇｅ）と溝を両サイドに設け摩擦抵抗が末長く、一定に続く形。
と同事に汽車（電車）等、軌道、即ち、レールに椄する、［図３３］車輪の点線部分は合成ゴ厶等であるが。汽車の場合は鋼鉄或いは、全部が鋼鉄を使用すると、脱線事故等が減少すると、考えられる。但し動力伝達装置に差動歯車デファレンシャルギア（ｄｉｆｆｅｒｅｎｔｉａｌ  ｇｅａｒ）を取り付け、他の車輪と車軸はベアリング（ｂｅａｒｉｎｇ）等で軸受けに固定、車輪に直接ディスクブレーキ設置で良行カーブを曲がる時、内側と外側の車輪で速度差が生じるがそれを吸収しつつ同じトルク（ｔｏｒｑｕｅ）を与える事が出来る。従来までの車輪は、内側と外側の車輪で速度差が生じるがそれをレールの接する車輪の面をテーパー（ｔａｐｅｒ）にする事だけで速度差を吸収させる事は少し無理がある、カーブを曲がる時は二本のレール線路の外側は内側より高さは高く、径は大きく、即ち、速度が速い、早い速度でカーブを曲がる時、レールの接する車輪の面をテーパー（ｔａｐｅｒ）にする事が外側のレールを乗り越える、要因に繋がる。即ち、脱線である。原因は車軸と車輪を別々にしてないことである。そこで強固なローラーベアリングで車軸と車輪を固定で内側と外側の車輪で速度差が生じない。又レールと車輪の接し面は水平であり、ブレーキ作動の際は砂を蒔く等、するが、接し面が広いので増してブレーキの利きはよくなり、良好。又車輪が変形して、磨り減った場合等は旋盤或いは、研磨機で正常な形に削っていたが、その必用は無くなる。脱線の主な原因はスピード（ｓｐｅｅｄ）の出し過ぎ、上記に記した車輪面のテーパーと、車輪の巾の間隔が挟すぎる、カーブも多い、新幹線は殆んど急カーブ等が無い緩やかなカーブである。車輪の巾の間隔は広くて安定度は抜群。
【手続補正２】
【補正対象書類名】明細書
【補正対象項目名】全文
【補正方法】変更
【補正の内容】
【発明の詳細な説明】
【技術分野】
【０００１】
【発明に属する技術分野】
本発明は、介護の作業内容を重労働から軽作業にする其々の器具、名称（フック付き介護用のベスト）は何時でもワッカを使用出来る状態にあり移動の際の吊上げ用のフック或いは取っ手となる。トラスを利用構造的に強く大小により通常の携帯用の折り畳み椅子から、非常時の便座、台車取り付けて、車椅子として、本来は介護用の椅子及びベッドとして使用、又、重心安定器と組み合わせで其のままホイストで吊り上げられる簡素で強い構造、尚ホイストのレールに接する車輪にフランジと溝を両サイドに設ける事により、車輪及びレールは水平に磨耗、即ち何時までも、抵抗値は同じである、天井ホイストの走行及び横行は人力で動かす事が、可能である。即ち稼動時は静かであり病院等に最適。
【０００２】
【背景技術】介護の一旦として、患者の入浴、即ち重度の患者の洗体作業時は五人前後の看護士等が、抱き抱えて、ベッドから、車椅子に移し、浴室に移動、その際、平均して体重が掛かれば良いが、片寄って掛かる場合が多い、特に体勢が悪い等、腰痛の原因となる、因って体重が有る、患者はベッドの上で、濡れタオルで身体を拭く回数が多くなるのが現状。【０００３】
【発明を実施するための最良の形態】本発明は［図１５］のチョッキ（ｊａｃｋ）或いはライフジャケット（ｌｉｆｅ−ｊａｃｋｅｔ）救命胴衣の形状に取っ手、或いは、吊りようのフック（ｈｏｏｋ）となる、ワッカを取り付けた着物、即ち、患者にとって、心地よい、下着として、何時も着用或いはベッド（ｂｅｄ）に貼り付けが必要条件である、その条件下で、一番の重労働と考えられる、重度の患者の移動の際、天井ホイスト、の吊フックとして、或いは、取っ手、として使用すれば、看護士、等に負担が掛からなく、容易に簡単スムーズ（ｓｍｏｏｔｈ）に事が成し遂げられる。即ち、介護一般、下の世話から、入浴（洗体作業）等、即座に対応、又、寒い時は、ガウン（ｇｏｗｎ）等を着用して使用できる、着替えは、湯船の中で、どんな人でも浮くので、作業は容易に出来る、洗体作業時、（介護用万能健康椅子）と（介護士の椅子）の使用で中腰にならずに、看護士等の、足腰に負担が掛からず、容易に作業が行われる。【０００４】
【発明の効果】
従来まで、介護のスタッフ（ｓｔａｆｆ）看護士、等は下の世話、風呂（洗体作業）衣服の着替え、食事、散歩、医療の類、等、その他、色々の作業があるが、その殆んどが、患者の体重移動が、主であるため、スタッフの腰等の負担から、免れる事は、出来なかったが、発明の（フック付き介護用ベスト）と（介護士の椅子）（介護用万能健康椅子）（万能健康ベッド）出来れば天井ホイストの五セットを使用すれば、重労働から、軽作業となる、即ち、患者の一番の喜び、楽しみであると思われる、風呂（洗体作業）が週一回から、毎日になるとすれば、患者は万遍の笑顔となり、心身共に、健康。
【図面の簡単な説明】
【図１】―はコンパクト（ｃｏｍｐａｃｔ）設計、通常の折り畳み、背もたれの無い椅子、スツール（ｓｔｏｏｌ）臀部が接する、座の部分即ち、人間工学的に要らない部分を取り去り、二枚の帯状、中央が開口の形状。帯の短編方向は端から中央に向かって臀部が適合する様に、薄く柔らかく成っている。名称（健康万能椅子）斜めからの簡単な姿図。
【図２】―は［図１］と同じ形状で座の部分のベルトの長さ調整の出来る，バックル（ｂｕｃｋｌｅ）を取り付けた、スツール（ｓｔｏｏｌ）に対して［図２］はチェア（ｃｈａｉｒ）背もたれ、及び、図には無いが、肘掛がある椅子の斜め上から見た所の姿図。
【図３】―は名称（介護士の椅子）の［平面図］内部構造、等の指示、点線は書き入れてない。上から見える所のみ、記述。
【図４】―は名称（介護士の椅子）の［底面図］内部構造、等の指示、点線は書き入れてない。下から見える所のみ、記述。
【図５】―は名称（介護士の椅子）の［背面図］一番下に下がる少し前の状態の図。
【図６】―は名称（介護士の椅子）の［背面図］一番上に上がる少し前の状態の図。
【図７】―は名称（介護士の椅子）の［正面図］一番下に下がる少し前の状態の図。
【図８】―は名称（介護士の椅子）の［正面図］一番上に上がる少し前の状態の図。
【図９】―は名称（介護士の椅子）の［右側面図］一番下に下がる少し前の状態の図。
【図１０】―は名称（介護士の椅子）の［右側面図］一番上に上がる少し前の状態の図。隙間用の当て物を入れて、ビス（ｖｉｓフランス）小ネジで締め、（ｊａｃｋ）ジャッキ部と座の部分を固定した所の図。
【図１１】―は名称（介護士の椅子）の［右側面図］粗、中間の高さスパイラル（ｓｐｉｒａｌ）状のスプリングで広がった、状態、即ちジャッキは下がらないがスプリングを保護する受け駒までスプリングを圧縮すれば、その分、ジャッキ（ｊａｃｋ）は上がる事が出来る所の状態の姿図。即ち、板バネを設置して無い、状態の姿図。
【図１２】―は（介護士の椅子）の［正面図］板バネを取り付けた状態、（スパイラル・ｓｐｉｒａｌ・状のバネ）を無視して、１―名称（円筒形のナット）と５―名称（バネを保護する受けの駒）が接触するまで、一杯に上がった状態の図。
【図１３】浴槽で介護者が、患者の身体を洗っている、即ち（洗体作業）を横から見た簡単な姿図。＊  （介護士の椅子）の臀部が接する、座の部分の凹みは介護者の座り心地好さと前後、左右、の移動が座った状態で容易に出来る。又板バネを取り付ける、事で人間工学的に一定の高さの椅子より５ｃｍ〜２０ｃｍのバネの上下があるだけで、作業範囲が広がり、椅子に座る立つの動作、も容易に出来る。介護者の身体の疲れ即ち、中腰にならず、腰痛等も無くなる。又５ｃｍ〜２０ｃｍのバネの間隔の微調整は６―名称（ボルト受けの駒）の蝶形のボルトを２―名称（バネのカバー）全体が回う所まで緩め２―名称（バネのカバー）全体を回して１―名称（円筒形のナット）の移動で間隔の微調整が行われる。
【図１４】―名称（健康万能椅子）が便器の代用ティシューペーパーの箱形状に袋状の紙おむつを取り付けて、便所の代用に出来る所の姿図。
【図１５】―は名称（フック付き介護用のベスト）絵は簡単な平面の姿図とぶらんこの横木を固定する［Ａ−Åの断面図］、人間が着る衣服と同じ物である。子供から大人、大男まで、多種多様、サイズ（ｓｉｚｅ）としては種類は少ない方が良い、帯状からワッカの間をバックル（ｂｕｃｋｌｅ）或いはマジック・テープ等で長さ調整、又は特に長くする時はワッカに同じ素材の帯状の両端にワッカを着けた玉掛け用の帯で繋ぐ等すれば、種類は少なくて済む、又患者の状態により座る少し寝た時、寝た状態、等で（フック付き介護用のベスト）の形は変わるのは当然である、素材としては、強固、強靭、は勿論であるが、柔らかく、通気性に優れ肌触りが良く、床擦れ等、成りにくい物。
【図１６】―は名称（重心安定器）の［平面図］玉掛け用のフック腕を一番縮めた状態。
【図１７】―は名称（重心安定器）の［平面図］玉掛け用のフック腕を伸ばした状態。
【図１８】―は名称（重心安定器）の［低面図］玉掛け用のフック腕を伸ばした状態。
【図１９】―は名称（重心安定器）の［Ａ−Åの拡大図］玉掛け用のフックとバランス（ｂａｌａｎｃｅ）用の駒。［側面図］
【図２０】―は名称（重心安定器）の［Ａ−Åの拡大図］玉掛け用のフックとバランス（ｂａｌａｎｃｅ）用の駒。［平面図］
【図２１】―は名称（重心安定器）の［正面図］［背面図］吊りようのフックに玉掛け用のフックを取り付けた状態。
【図２２】―は名称（重心安定器）の［側面図］腕を伸ばした状態。
【図２３】―は名称（フック付き介護用のベスト）に横木を取り付け（重心安定器）を使用し、患者をホイストで吊った時の正面からの、［姿図］。
【図２４】―は名称（フック付き介護用のベスト）に横木を取り付け（重心安定器）を使用し、患者をホイストで吊った時の側面からの、［姿図］。
【図２５】―は名称（フック付き介護用のベスト）に横木を取り付け（重心安定器）を使用し、患者を少し寝かした状態でホイストで吊った時の側面からの、［姿図］。
【図２６】―は名称（フック付き介護用のベスト）にパイプを取り付け（重心安定器）を使用し、患者を寝かした状態でホイストで吊った時の側面からの、［姿図］。
【図２７】―は名称（万能健康ベッド）の本体の［側面図］
【図２８】―は名称（万能健康ベッド）の本体に台車及び身体受け部分取り付け患者を寝かした所の［側面図］の姿図。
【図２９】―は名称（万能健康ベッド）の本体に台車及び身体受け部分取り付け患者を寝かした所の［正面図］の姿図。
【図３０】―は通常の台車の［斜視図］
【図３１】―は通常の天井ホイストの正面からの姿図。
【図３２】―は通常の天井ホイストの上面からの姿図。
【図３３】―は天井ホイストのレールと車輪の［詳細図］。レールは［断面図］車輪は［正面図］とする。
【図３４】―は天井ホイストの車輪の［正面図］に対して［側面図］の［詳細図］。［天井ホイストのレールと車輪の関係と説明］従来までの車輪、即ち、レールは鋼鉄、車輪も鋼鉄（鋳物）であると、音が共鳴、して、激しく音が響く、又ギア、モーター（ｇｅａｒ，ｍｏｔｏｒ）で走行及び横行を行うと同じく激しく音が響くであろう当然、天井ホイストと、建物の接地面に合成ゴム等を間に咬ませて、消音を、試みると同じに［図３３］の車輪の点線の部分は合成ゴ厶（強靭で消音、効果に優れた物）を填め込む、二本のレールの間隔を本体に設置している、車輪、と車輪の間、巾は少しの余裕がある、即ち車輪の巾とレールの巾の余裕である。その巾二本のレールの間隔を最大弱から最小より少し広めの緩やかな曲線の繰り返しに取り付ける事でレールと車輪は水平に磨耗即ち、消音を兼ねて水平に磨耗するので一定値の抵抗、と成り人力で走行及び横行が出来る。吊上げ吊り下げは、ギア，モーター（ｇｅａｒ，ｍｏｔｏｒ）を使用、と同時に手動の巻き上げ機（チェンブロック）を設置、故障、停電、等、速やかに使用。安全第一。以上、消音で作業が行われ、病院等で最適である。
【符号の説明】
１―名称（円筒形のナット）ボルトに対して少し長めの、円ナット
２―名称（バネのカバー）１の名称（円筒形のナット）がピストンとするならば、円筒形のシリンダー。
３―名称（蝶形のボルト）１―名称（円筒形のナット）に一杯捩じ込んで、名称（バネのカバー）との程好い隙間が出来る長さ、又（バネのカバー）に（蝶形のボルト）がスライド（ｓｌｉｄｅ）出来る長穴を図には無いが、設けている。
４―名称（スパイラル・ｓｐｉｒａｌ・状のバネ）黒点は中央の［断面図］黒の斜めの線はバネの横からの［姿図］
５―名称（バネを保護する受けの駒）バネが程好く入る径で、バネが一杯に縮む少し前の長さ。
６―名称（ボルト受けの駒）ボルトがピストン駒がシリンダーの代わり、短いより長めの方が安定があって良い２―名称（バネのカバー）と  ５―名称（バネを保護する受けの駒）を蝶形のボルトで止めた状態の図。
７―名称（ハンドル受けの駒）６―名称（ボルト受けの駒）とハンドル間で指等を挟まない様、手で回し安い様。
８―名称（ハンドル）手で回して、直結したボルトが回り上下調整を行う。
９―名称（バネのカバーの振れ止め）  殆んど、要らない、不用かも知れない。
１０―名称（板バネ）実際には４〜８箇所、実線で記入する可し物であるが、図面上重要な物では、無いし内側が図示できない。又［図１１］が板バネを取り付けて無い時の図、即ち、現状図で一杯に下がった時の図であるから。
【手続補正３】
【補正対象書類名】図面
【補正対象項目名】全図
【補正方法】変更
【補正の内容】
【図１】
2009268870.tif 000037
【図２】
2009268870.tif 000038
【図３】
2009268870.tif 000039
【図４】
2009268870.tif 000040
【図５】
2009268870.tif 000041
【図６】
2009268870.tif 000042
【図７】
2009268870.tif 000043
【図８】
2009268870.tif 000044
【図９】
2009268870.tif 000045
【図１０】
2009268870.tif 000046
【図１１】
2009268870.tif 000047
【図１２】
2009268870.tif 000048
【図１３】
2009268870.tif 000049
【図１４】
2009268870.tif 000050
【図１５】
2009268870.tif 000051
【図１６】
2009268870.tif 000052
【図１７】
2009268870.tif 000053
【図１８】
2009268870.tif 000054
【図１９】
2009268870.tif 000055
【図２０】
2009268870.tif 000056
【図２１】
2009268870.tif 000057
【図２２】
2009268870.tif 000058
【図２３】
2009268870.tif 000059
【図２４】
2009268870.tif 000060
【図２５】
2009268870.tif 000061
【図２６】
2009268870.tif 000062
【図２７】
2009268870.tif 000063
【図２８】
2009268870.tif 000064
【図２９】
2009268870.tif 000065
【図３０】
2009268870.tif 000066
【図３１】
2009268870.tif 000067
【図３２】
2009268870.tif 000068
【図３３】
2009268870.tif 000069
【図３４】
2009268870.tif 000070